(57)【要約】【課題】マイコンなどによる初期化処理にはかかわらず、電源投入後、速やかに初期画面を表示できるようにする。【解決手段】初期画面を表示させるための初期画面用制御コマンドを不揮発性メモリで構成されたコマンドテーブル用不揮発性メモリ１３に格納しておき、電源が投入されリセット状態が解除されてから通常画面を表示させるための通常画面用制御コマンドがマイコン３から入力されるまでは、表示制御部１４は、コマンドテーブル用不揮発性メモリ１３に格納されている初期画面用制御コマンドに基づいて表示部２での初期画面表示が行われるよう制御するようにして、マイコン３による動作にかかわらず、自動的に初期画面用制御コマンドに基づく初期画面表示を行うことにより、電源投入後、速やかに初期画面を表示できるようにする。【選択図】図２
2007256779.tif 000002
【特許請求の範囲】
【請求項１】
書き換え可能な不揮発性メモリで構成され、初期画面を表示させるための初期画面用制御コマンドが格納されたコマンド格納部と、
通常画面を表示させるための通常画面用制御コマンドが外部から入力されるまでは、上記コマンド格納部に格納されている初期画面用制御コマンドに基づいて、表示部にて上記初期画面を表示するよう制御する表示制御部とを備えることを特徴とする表示制御装置。
【請求項２】
リセット信号が供給され、当該リセット信号に基づいてリセット状態が解除されたことを検知した場合には、上記コマンド格納部から上記初期画面用制御コマンドを読み出して上記表示制御部に転送するコマンド制御部を備えることを特徴とする請求項１記載の表示制御装置。
【請求項３】
上記初期画面の表示に係る初期画面用表示メモリと、
上記通常画面の表示に係る通常画面用表示メモリとを備え、
上記初期画面用表示メモリは、書き換え可能な不揮発性メモリで構成され、かつ上記初期画面に係る表示情報が予め記憶されていることを特徴とする請求項１又は２記載の表示制御装置。
【請求項４】
上記表示制御部は、供給されたリセット信号に基づいてリセット状態が解除されたことを検知してから上記通常画面用制御コマンドが入力されるまでの期間は、上記初期画面用制御コマンドに基づいて、かつ上記初期画面用表示メモリを用いて、表示部における画面表示に係る制御を行うことを特徴とする請求項３記載の表示制御装置。
【請求項５】
請求項１〜４の何れか１項に記載の表示制御装置と、
上記表示制御装置による表示制御に応じて画面表示を行う表示部とを備えることを特徴とする表示装置。
【発明の詳細な説明】
【技術分野】
【０００１】
本発明は、表示制御装置及び表示装置に関し、特に、電源投入後の初期画面表示技術に関する。
【背景技術】
【０００２】
従来、ＬＣＤ（液晶表示装置）等のディスプレイ装置で構成された表示部にて表示を行う場合には、表示用コントローラ（表示制御装置）が、シリアル通信等により供給されるマイコン（又はＣＰＵ（Central Processing Unit））等からの制御コマンドを受信し、受信した制御コマンドに応じて表示制御することにより表示部での画面表示が行われる。すなわち、マイコン又はＣＰＵ等からの制御コマンドを受信することで画面表示することができる。
【０００３】
上述のように画面表示を行うには、通常、マイコン又はＣＰＵが必要であるが、表示を行うためだけにマイコンやＣＰＵを搭載することは非常に稀である。例えば、ＤＶＤレコーダであれば、ビデオ出力部、液晶パネル部、操作部、レコーダ部等、マイコン又はＣＰＵが制御すべき機能部は多岐にわたる。
【０００４】
したがって、電源投入後、システム内のマイコン又はＣＰＵは、表示に係る機能部だけではなく、システム全体の初期化処理を行う必要がある。そのため、電源が投入されてから初期画面を表示部において表示するまでの時間は、マイコン又はＣＰＵによる初期化処理時間に依存することとなる。
【０００５】
また、特許文献１には、映像信号を調整するための初期設定データをＲＯＭに記憶しておき、それを書き換え可能なＥＥＰＲＯＭに書き込んで映像信号の調整値として用いるともにユーザ等が変更可能なように構成し、変更した値を元に戻したい場合にはＲＯＭ内の初期設定データをＥＥＰＲＯＭに書き込むことにより値を初期化可能な映像表示装置について開示されている。
【０００６】
【特許文献１】特開２００２−３３９７５号公報
【発明の開示】
【発明が解決しようとする課題】
【０００７】
本発明は、マイコン又はＣＰＵによる初期化処理にはかかわらず、電源投入後、速やかに初期画面を表示できるようにすることを目的とする。
【課題を解決するための手段】
【０００８】
本発明の表示制御装置は、書き換え可能な不揮発性メモリで構成したコマンド格納部と、表示部での画面表示に係る制御を行う表示制御部とを備える。コマンド格納部には、初期画面を表示させるための初期画面用制御コマンドを格納しておき、通常画面を表示させるための通常画面用制御コマンドが外部から入力されるまでは、表示制御部は、コマンド格納部に格納されている初期画面用制御コマンドに基づいて制御を行う。
本発明によれば、マイコンやＣＰＵ等による初期化処理が終了したことにより通常画面用制御コマンドが入力されるまでは、不揮発性メモリで構成されたコマンド格納部に格納されている初期画面用制御コマンドに基づいて表示部での初期画面表示が行われるよう制御する。
【発明の効果】
【０００９】
本発明によれば、マイコン又はＣＰＵによる動作にかかわらず、自動的に不揮発性メモリに格納された初期画面用制御コマンドに基づいて、表示部での初期画面表示を行うことができ、マイコン又はＣＰＵによる初期化処理にはかかわらず、電源投入後、速やかに初期画面を表示することができる。
【発明を実施するための最良の形態】
【００１０】
以下、本発明の実施形態を図面に基づいて説明する。
図１は、本発明の一実施形態による表示制御装置を有し構成される表示システムの構成例を示すブロック図である。
【００１１】
図１において、１は本発明の一実施形態による表示制御装置を適用した表示用コントーラである。表示用コントローラ１は、マイコン３からの制御コマンド（命令）を受信し、当該制御コマンドに応じて表示部２に係る表示制御を行う。これにより、表示用コントローラ１は、制御コマンドに基づく画面表示を表示部２に行わせる。
【００１２】
また、表示用コントローラ１は、電源が投入されてリセット状態が解除された後、自動的に初期画面表示に係る表示制御を行う。すなわち、表示用コントローラ１は、電源投入後、マイコン３による制御なしに、言い換えればマイコン３からの制御コマンドを受信することなく、初期画面を表示させるための制御を行う。
【００１３】
表示部２は、表示用コントローラ１による制御を受けて画像等を表示することにより、当該制御に応じた画面表示を行う。表示部２は、ＬＣＤ（液晶表示装置）等の任意のディスプレイ装置を用いて構成される。
ここで、表示用コントローラ１及び表示部２により、本発明の表示装置が構成される。
【００１４】
マイコン３は、システム全体を統括的に制御する。マイコン３は、例えば、表示部２にて画面表示させるための制御コマンドを表示用コントローラ１に供給したり、図示しない他の機能部等を制御したりする。
【００１５】
図２は、図１に示した表示用コントローラ１の構成例を示すブロック図である。
本実施形態における表示コントローラ１は、シリアル入力制御部１１、コマンドテーブル制御部１２、コマンドテーブル用不揮発性メモリ１３、表示制御部１４、通常画面用表示メモリ１５、初期画面用表示メモリ１６、フォントＲＯＭ１７、及び表示出力制御部１８を有する。表示コントローラ１にはクロック信号ＣＬＫが供給されており、当該クロック信号ＣＬＫに基づいて表示コントローラ１は動作する。
【００１６】
コマンドテーブル用不揮発性メモリ１３及び初期画面用表示メモリ１６は、電力が供給されなくとも記憶したデータを保持可能で、かつデータを書き換え可能な（ＲＡＭとして使用可能な）不揮発性メモリ（例えば、ＦｅＲＡＭ）で構成される。通常画面用メモリ１５は、通常のＲＡＭ等の揮発性メモリで構成される。また、フォントＲＯＭ１７は、フラッシュメモリやマスクＲＯＭ等のＲＯＭで構成される。
【００１７】
シリアル入力制御部１１は、マイコン３からの入力信号ＳＩＯが入力されている。シリアル入力制御部１１は、入力信号ＳＩＯにより供給されるマイコン３からの制御コマンドを受信して表示制御部１４に出力する。なお、本実施形態ではシリアル入力制御部１１は、入力信号ＳＩＯを介してマイコン３と通信可能に接続されるが、外部バス等を介してマイコン３と通信可能に接続されるようにしても良い。
【００１８】
コマンドテーブル制御部１２は、クロック信号ＣＬＫに基づいて動作するとともに、リセット信号ＲＥＳＥＴが供給されている。コマンドテーブル制御部１２は、供給されるリセット信号ＲＥＳＥＴに基づいてリセット状態の解除を検知すると、コマンドテーブル用不揮発性メモリ１３に格納されている初期画面用制御コマンドを読み出して表示制御部１４に転送する。
【００１９】
また、コマンドテーブル制御部１２は、例えばコマンドテーブル用不揮発性メモリ１３に初期画面用制御コマンド以外の制御コマンドも記憶された場合などにおいて、シリアル入力制御部１１で受信した制御コマンドによっては、その制御コマンドが供給される。このとき、コマンドテーブル制御部１２は、供給された制御コマンドに応じてコマンドテーブル用不揮発性メモリ１３から制御コマンドを読み出し、シリアル入力制御部１１を介してあるいは直接に表示制御部１４に転送する。
【００２０】
コマンドテーブル用不揮発性メモリ１３は、初期画面を表示させるための初期画面用制御コマンドを記憶している。この初期画面用制御コマンドでは、キャラクタの色、サイズ、位置、及び背景等が規定されている。なお、コマンドテーブル用不揮発性メモリ１３は、少なくとも初期画面用制御コマンドを記憶していれば良く、それ以外の制御コマンドを記憶していても良い。
【００２１】
表示制御部１４は、表示用メモリ１５、１６及びフォントＲＯＭ１７を適宜用いて、シリアル入力制御部１１及びコマンドテーブル制御部１２から供給される制御コマンドに応じた所望の画面表示を表示部２にて行わせるための制御を行う。表示制御部１４は、電源投入後（より詳細には、供給されるリセット信号ＲＥＳＥＴに基づいて検知したリセット解除後）において初期画面用表示メモリ１６を選択して用い、その後、マイコン３からの制御コマンドが供給された後において通常画面用表示メモリ１５を選択して用いる。
【００２２】
通常画面用表示メモリ（通常画面用ＶＲＡＭ）１５は、表示部２にて通常画面を表示させる際の通常画面用のキャラクタ配列を記憶する。初期画面用表示メモリ（初期画面用ＶＲＡＭ）１６は、初期画面用のキャラクタ配列を記憶している。フォントＲＯＭ１７は、表示用コントローラ１の制御に応じて表示部２にて表示可能な全キャラクタのデータを記憶している。表示出力制御部１８は、供給される表示制御部１４からの出力を基に構成画像等を重ね合わせるなどの画像処理を行い、得られた表示制御信号ＤＩＳを表示部２に出力する。
【００２３】
次に、表示用コントローラ１の動作について説明する。
図３は、本実施形態における表示用コントローラ１の処理動作を示すフローチャートである。
まず、電源が投入されると、リセット信号ＲＥＳＥＴがアクティブになりリセットが入力される（Ｓ１）。これにより、表示用コントローラ１は、リセット状態となる。
【００２４】
その後、表示用コントローラ１において、リセット信号ＲＥＳＥＴがインアクティブになりリセットが解除されたことが検知されると（Ｓ２）、コマンドテーブル制御部１２は、初期画面用制御コマンドが格納されたコマンドテーブル用不揮発性メモリ１３からそのコマンドデータ列を読み出して表示制御部１４に順次転送する（Ｓ３）。表示制御部１４は、予め初期画面用のキャラクタ配列を記憶している初期画面用表示メモリ１６を選択し、供給される初期画面用制御コマンドに応じた初期画面を表示するよう制御を行う（Ｓ４）。
以上のようにして、初期画面におけるキャラクタの色、サイズ、位置、及び背景等が設定され、表示部２にて所定の初期画面が表示される。
【００２５】
続いて、表示用コントローラ１において、入力信号ＳＩＯによるマイコン３からの制御コマンドをシリアル入力制御部１１が受信すると（Ｓ５）、その制御コマンドが表示制御部１４に供給される。表示制御部１４は、マイコン３からの制御コマンドが入力されることで、初期画面用表示メモリ１６にかえて通常画面用表示メモリ１５を選択する。そして、表示制御部１４は、通常画面用表示メモリ１５を用いて、供給される制御コマンドに応じた画面表示を行うよう制御を行う（Ｓ６）。
【００２６】
以上のように、電源が投入され、さらにリセット状態が解除されたことを検知すると、コマンドテーブル用不揮発性メモリ１３に格納されている初期画面用制御コマンドが読み出されるとともに、初期画面用表示メモリ１６が選択され、当該初期画面用制御コマンド及び初期画面用表示メモリ１６を用いて、表示部２にて初期画面を表示するように制御が行われる。この初期画面用制御コマンド及び初期画面用表示メモリ１６を用いた初期画面を表示させるための制御は、初期化処理が終了したこと等により、マイコン３から制御コマンドが入力されるまで行われる。そして、マイコン３からの制御コマンドが入力されると、それ以降は入力される制御コマンド及び通常画面用表示メモリ１５を用いて、表示部２にて通常画面を表示するように制御が行われる。
【００２７】
これにより、マイコン３による初期化処理にはかかわらず、自動的に表示部２での初期画面表示を行うことができ、電源投入後、速やかに初期画面を表示することができる。また、初期画面表示に係るマイコン３による処理が不要となり、システム全体の初期化処理を行うマイコン３の負荷を軽減することができる。
【００２８】
なお、上述した実施形態における表示用コントーラ１においては、通常画面用表示メモリ１５及び初期画面用表示メモリ１６を表示用コントーラ１内部に設けるようにしているが、図４に示すように表示用コントローラ１Ａ内部には設けずに、その外部に通常画面用表示メモリ１５Ａ及び初期画面用表示メモリ１６Ａを設けるようにしても良い。図４は、本実施形態における表示用コントローラの他の構成例を示す図であり、図１に示したブロック等と同一の機能を有するブロック等には同一の符号を付している。また、通常画面用表示メモリ及び初期画面用表示メモリの一方のみを表示用コントローラ外部に設けても良い。
【００２９】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
本発明の諸態様を付記として以下に示す。
【００３０】
（付記１）書き換え可能な不揮発性メモリで構成され、初期画面を表示させるための初期画面用制御コマンドが格納されたコマンド格納部と、
通常画面を表示させるための通常画面用制御コマンドが外部から入力されるまでは、上記コマンド格納部に格納されている初期画面用制御コマンドに基づいて、表示部にて上記初期画面を表示するよう制御する表示制御部とを備えることを特徴とする表示制御装置。
（付記２）リセット信号が供給され、当該リセット信号に基づいてリセット状態が解除されたことを検知した場合には、上記コマンド格納部から上記初期画面用制御コマンドを読み出して上記表示制御部に転送するコマンド制御部を備えることを特徴とする付記１記載の表示制御装置。
（付記３）上記表示制御部は、上記通常画面用制御コマンドが入力された場合、それ以降は入力される通常画面用制御コマンドに応じた画面表示を行うよう制御することを特徴とする付記１又は２記載の表示制御装置。
（付記４）上記初期画面の表示に係る初期画面用表示メモリと、
上記通常画面の表示に係る通常画面用表示メモリとを備え、
上記初期画面用表示メモリは、書き換え可能な不揮発性メモリで構成され、かつ上記初期画面に係る表示情報が予め記憶されていることを特徴とする付記１〜３の何れか１項に記載の表示制御装置。
（付記５）上記表示制御部は、上記初期画面用表示メモリ及び上記通常画面用表示メモリを選択的に用いて、表示部における画面表示に係る制御を行うことを特徴とする付記４記載の表示制御装置。
（付記６）上記表示制御部は、供給されたリセット信号に基づいてリセット状態が解除されたことを検知してから上記通常画面用制御コマンドが入力されるまでの期間は、上記初期画面用制御コマンドに基づいて、かつ上記初期画面用表示メモリを用いて、表示部における画面表示に係る制御を行うことを特徴とする付記４記載の表示制御装置。
（付記７）上記表示制御部は、上記初期画面を表示部に表示させる場合に、書き換え可能な不揮発性メモリで構成されかつ上記初期画面に係る表示情報が予め記憶されている表示メモリを用いて制御することを特徴とする付記１〜３の何れか１項に記載の表示制御装置。
（付記８）付記１〜７の何れか１項に記載の表示制御装置と、
上記表示制御装置による表示制御に応じて画面表示を行う表示部とを備えることを特徴とする表示装置。
（付記９）上記表示部が、液晶表示部であることを特徴とする付記８記載の表示装置。
【図面の簡単な説明】
【００３１】
【図１】本発明の実施形態における表示システムの構成例を示す図である。
【図２】本発明の実施形態における表示用コントローラの構成例を示す図である。
【図３】本発明の実施形態における表示用コントローラの処理動作を示すフローチャートである。
【図４】本発明の実施形態における表示用コントローラの他の構成例を示す図である。
【符号の説明】
【００３２】
１、１Ａ  表示用コントローラ
２  表示部
３  マイコン
１１  シリアル入力制御部
１２  コマンドテーブル制御部
１３  コマンドテーブル用不揮発性メモリ
１４  表示制御部
１５、１５Ａ  通常画面用表示メモリ
１６、１６Ａ  初期画面用表示メモリ
１７  フォントＲＯＭ
１８  表示出力制御部
【図１】
2007256779.tif 000003
【図２】
2007256779.tif 000004
【図３】
2007256779.tif 000005
【図４】
2007256779.tif 000006